(57)【特許請求の範囲】
【請求項１】
複数の第１の電極（１１）と複数の第２の電極（１２）とが互いに直交するように配置された表示パネル（１）を備え、前記第１、第２の電極（１１、１２）の交差位置にて形成される画素によってマトリクス表示を行うようにしたマトリクス型表示装置において、
前記複数の第１の電極（１１）と前記複数の第２の電極（１２）の少なくとも一方において、各電極の一端に第１の駆動手段（２）から電圧パルスが出力されると同時に、各電極の他端に第２の駆動手段（３）から電圧パルスが出力されるようになっており、
前記第１、第２の駆動手段（２、３）のそれぞれは、前記複数の一方の電極（１１）のうち前記電圧パルスを出力する選択期間にある電極に対して前記電圧パルスを出力し、前記複数の一方の電極（１１）のうち前記電圧パルスを出力しない非選択期間にある電極に対しては出力がハイインピーダンス状態になるものであり、
さらに、前記第１、第２の駆動手段のそれぞれは、前記複数の一方の電極（１１）のそれぞれに対して、ハイレベルの電圧を出力するための第１のスイッチング手段（２１）とローレベルの電圧を出力するための第２のスイッチング手段（２２）とを有しており、前記第１、第２の駆動手段（２、３）は、前記選択期間にある電極に対する第１、第２のスイッチング手段（２１、２２）を同一の制御信号によりオフさせて前記選択期間内の前記電圧パルスを出力する前後の期間において出力がハイインピーダンス状態になるようになっていることを特徴とするマトリクス型表示装置。
【請求項２】
複数の走査電極（１１）と複数のデータ電極（１２）がマトリクス状に配置されたＥＬパネル（１）と、
前記複数の走査電極（１１）に走査電圧を順次出力する走査電極駆動手段（２、３）と、
前記複数のデータ電極（１２）に変調電圧を出力するデータ電極駆動手段（４）とを備え、
前記走査電極駆動手段（２、３）は、前記複数の走査電極（１１）のそれぞれの一端に前記走査電圧を出力する第１の走査電極駆動手段（２）と、前記複数の走査電極（１１）のそれぞれの他端に前記走査電圧を出力する第２の走査電極駆動手段（３）とを備えて、前記走査電極（１１）のそれぞれの両端から前記走査電圧を同時に印加するようになっており、
前記第１、第２の走査電極駆動手段（２、３）のそれぞれは、前記複数の走査電極（１１）のうち前記走査電圧を出力する選択期間にある走査電極（１１）に対して前記走査電圧を出力し、前記複数の走査電極（１１）のうち前記走査電圧を出力しない非選択期間にある走査電極（１１）に対しては出力がハイインピーダンス状態になるものであり、
さらに、前記第１、第２の走査電極駆動手段（２、３）のそれぞれは、前記複数の走査電極（１１）のそれぞれに対して、ハイレベルの電圧を出力するための第１のスイッチング手段（２１）とローレベルの電圧を出力するための第２のスイッチング手段（２２）とを有しており、前記第１、第２の走査電極駆動手段（２、３）は、前記選択期間にある走査電極に対する第１、第２のスイッチング手段（２１、２２）を同一の制御信号によりオフさせて、前記選択期間内の前記走査電圧を出力する前後の期間において出力がハイインピーダンス状態になるようになっていることを特徴とするマトリクス型表示装置。
【発明の詳細な説明】
【０００１】
【発明の属する技術分野】
本発明は、マトリクス表示を行うマトリクス型表示装置に関する。
【０００２】
【従来の技術】
従来、この種のマトリクス型表示装置においては、表示パネルに走査電極とデータ電極を直交するように配置し、走査電極とデータ電極が交差する位置に形成される画素によってマトリクス表示を行うようにしたものが種々提案されている。
【０００３】
このようなマトリクス型表示装置においては、走査電極、データ電極の少なくとも一方をＩＴＯなどを用いた透明電極としている。この透明電極は、金属電極に比べて比抵抗が高いため、その配線抵抗によって電極の電圧印加側から他端に向けて電圧になまりが生じ、輝度むらが生じるという問題がある。
このような問題を解決するため、特開平２−８８号公報においては、走査電極の一端および他端を、それぞれ第１、第２の走査電極駆動回路に接続して、走査電極の両側から走査電圧を同時に印加するようにしたものが開示されている。
【０００４】
【発明が解決しようとする課題】
しかしながら、走査電極の両側から別々の走査電極駆動回路で走査電圧を印加するようにした場合、一方の走査電極駆動回路から出力される走査電圧と他方の走査電極駆動回路から出力される走査電圧の立ち上がりと立ち下がりに、時間的なずれが生じると、２つの走査電極駆動回路が短絡し、過大電流が流れるなどの問題が生じる。
【０００５】
本発明は上記問題に鑑みたもので、電極の両側から別々の駆動回路によって電圧を同時に印加するマトリクス型表示装置において、２つの駆動回路の短絡を確実に防止できるようにすることを目的とする。
【０００６】
【課題を解決するための手段】
上記目的を達成するため、請求項１に記載の発明においては、複数の第１の電極（１１）と複数の第２の電極（１２）とが互いに直交するように配置された表示パネル（１）を備え、前記第１、第２の電極（１１、１２）の交差位置にて形成される画素によってマトリクス表示を行うようにしたマトリクス型表示装置において、前記複数の第１の電極（１１）と前記複数の第２の電極（１２）の少なくとも一方において、各電極の一端に第１の駆動手段（２）から電圧パルスが出力されると同時に、各電極の他端に第２の駆動手段（３）から電圧パルスが出力されるようになっており、前記第１、第２の駆動手段（２、３）のそれぞれは、前記複数の一方の電極（１１）のうち前記電圧パルスを出力する選択期間にある電極に対して前記電圧パルスを出力し、前記複数の一方の電極（１１）のうち前記電圧パルスを出力しない非選択期間にある電極に対しては出力がハイインピーダンス状態になるものであり、  さらに、前記第１、第２の駆動手段のそれぞれは、前記複数の一方の電極（１１）のそれぞれに対して、ハイレベルの電圧を出力するための第１のスイッチング手段（２１）とローレベルの電圧を出力するための第２のスイッチング手段（２２）とを有しており、前記第１、第２の駆動手段（２、３）は、前記選択期間にある電極に対する第１、第２のスイッチング手段（２１、２２）を同一の制御信号によりオフさせて前記選択期間内の前記電圧パルスを出力する前後の期間において出力がハイインピーダンス状態になるようになっていることを特徴としている。
【０００７】
この発明によれば、選択期間内の電圧パルスを出力する前後の期間をハイインピーダンス状態にしているから、第１の駆動手段（２）、第２の駆動手段（３）から出力される電圧パルスの出力タイミングを合わせることができ、２つの駆動手段（２、３）の短絡を防止することができる。また、請求項２に記載の発明においては、請求項１に記載の発明をマトリクス型のＥＬ表示装置に適用し、第１の走査電極駆動手段（２）と第２の走査電極駆動手段（３）から出力される走査電圧の出力タイミングを合わせて、２つの走査電極駆動手段（２、３）の短絡を防止することができる。
【０００８】
なお、上記した括弧内の符号は、後述する実施形態記載の具体的手段との対応関係を示すものである。
【０００９】
【発明の実施の形態】
図１に本発明の一実施形態を示すＥＬ表示装置の全体構成を示す。
ＥＬパネル１は、発光層を挟んで、一方の側に走査電極１１が複数形成され、他方の側にデータ電極１２が複数形成されたもので、走査電極１１とデータ電極１２の交差領域には、画素としてのＥＬ素子がマトリクス状に形成されている。なお、ＥＬ素子は容量性の素子であるため、図ではコンデンサの記号で表している。
【００１０】
走査電極１１は、ＩＴＯなどの透明電極で構成されており、走査電極１１における左側端部、右側端部がＣｕなどの金属の通電線５、６を介してロウドライバＩＣ２、３にそれぞれ接続されている。また、データ電極１２も、ＩＴＯなどの透明電極で構成されており、Ｃｕなどの金属の通電線７を介してカラムドライバＩＣ４に接続されている。なお、Ｃｕなどの金属の通電線５〜７の比抵抗は、ＩＴＯなどの透明電極に比べて略１／１０以下となっている。
【００１１】
ロウドライバＩＣ（走査電極駆動回路）２、３は、走査電極１１のそれぞれに両側から走査電圧を順次印加する線順次走査を行い、カラムドライバＩＣ（データ電極駆動回路）４は、データ電極１２のそれぞれに変調電圧（データ電圧）を印加する。このような走査電圧と変調電圧により各ＥＬ素子に発光、非発光の電圧パルスを印加して、ＥＬパネル１にマトリクス表示を行わせる。なお、ロウドライバＩＣ２、３、カラムドライバＩＣ４は、フィールド毎に正負に極性反転する電圧パルスを各ＥＬ素子に印加して、その発光駆動を行うようにしている。
【００１２】
次に、上記したロウドライバＩＣ２、３による駆動について説明する。
ロウドライバＩＣ２、３は同一構成のもので、図２に示すような構成になっている。このロウドライバＩＣ２、３としては、μＰＤ１６３０２として市販されているロウドライバＩＣを用いることができる。
このロウドライバＩＣは、走査電圧を出力するための出力段にＰチャネルＦＥＴ２１、ＮチャネルＦＥＴ２２を有しており、ＰチャネルＦＥＴ２１がオンしているときには出力Ｏからハイレベルの電圧（ＶＤＤの電圧）を出力し、ＮチャネルＦＥＴ２２がオンしているときには出力Ｏからローレベルの電圧（ＶＳＳの電圧）を出力し、ＰチャネルＦＥＴ２１、ＮチャネルＦＥＴ２２が共にオフしているときには出力Ｏがハイインピーダンス状態になるものである。
【００１３】
また、このロウドライバＩＣは、シフトレジスタ２３を有しており、このシフトレジスタ２３は、そのＲ／Ｌバー端子がハイレベルのとき、データ入力端子Ａに行選択パルス信号（周期が垂直同期信号に相当する信号）が入力されると、ＣＬＫ信号の立ち上がりタイミングでＳ1 端子、…、Ｓ40端子から順にハイレベル信号を出力する。なお、図では４０個の出力を行う１つのシフトレジスタについて示しているが、このシフトレジスタの出力端子Ｂを、後段のシフトレジスタのデータ入力端子Ａに接続するようにすれば、複数のシフトレジスタにて所望数の出力を得ることができる。
【００１４】
シフトレジスタ２３のＳ1 端子、…、Ｓ40端子の出力は、ＡＮＤゲート２４の一方の入力端子に入力される。また、ＡＮＤゲート２４の他方の入力端子には、ＯＥバー信号（バーは図に示すように負論理信号を表す、以下同じ）をインバータ２５で反転した信号が入力される。ＯＥバー信号は、出力イネーブル信号であって、この実施形態では、ＰチャネルＦＥＴ２１、ＮチャネルＦＥＴ２２をオフして出力Ｏをハイインピーダンス状態にするための制御信号として用いられている。
【００１５】
また、ＡＮＤゲート２４の出力は、ＮＡＮＤゲート２６、ＮＯＲゲート２７のそれぞれの一方の入力端子に入力される。また、ＮＡＮＤゲート２６、ＮＯＲゲート２７のそれぞれの他方の入力端子には、ＰＣバー信号が入力される。このＰＣバー信号は、ＰチャネルＦＥＴ２１、ＮチャネルＦＥＴ２２を選択する信号として用いられる。
【００１６】
次に、ロウドライバＩＣ２、３の作動について図３に示すタイミングチャートを参照して説明する。
上記した行選択パルス信号、ＣＬＫ信号、ＰＣバー信号、ＯＥバー信号は、図示しない外部回路によって図３に示す信号として出力される。
ここで、行選択パルス信号がシフトレジスタ２３に入力されると、ＣＬＫ信号の立ち上がりタイミングでＳ1 端子、…、Ｓ40端子から順にハイレベル信号が出力される。なお、それぞれの端子から出力されるハイレベル信号は、次のＣＬＫ信号の立ち上がりまで維持される。
【００１７】
また、ＣＬＫ信号の立ち上がりタイミングからの所定期間Ｔ1 と立ち下がりタイミングからの所定期間Ｔ2 においては、ＯＥバー信号がハイレベルになる。ＯＥバー信号がハイレベルになっているときには、ＡＮＤゲート２４が閉じてその出力がローレベルになるため、ＮＡＮＤゲート２６の出力がハイレベル、ＮＯＲゲート２７の出力がローレベルになり、ＰチャネルＦＥＴ２１、ＮチャネルＦＥＴ２２が共にオフして出力Ｏがハイインピーダンス状態になる。
【００１８】
また、ＯＥバー信号がローレベルになっているときには、ＡＮＤゲートが開いているため、シフトレジスタ２３のＳ1 端子、…、Ｓ40端子のうちハイレベル信号を出力している端子に接続されたＡＮＤゲート２４からハイレベル信号が出力される。そして、そのハイレベル信号を入力とするＮＡＮＤゲート２６、ＮＯＲゲート２７においては、ＰＣバー信号がハイレベルのとき両出力ともローレベルになり、またＰＣバー信号がローレベルのとき両出力ともハイレベルになる。そして、ＮＡＮＤゲート２６、ＮＯＲゲート２７の両出力が共にローレベルのとき、ＰチャネルＦＥＴ２１がオン、ＮチャネルＦＥＴ２２がオフして出力Ｏからハイレベルの電圧が出力され、ＮＡＮＤゲート２６、ＮＯＲゲート２７の両出力が共にハイレベルのとき、ＰチャネルＦＥＴ２１がオフ、ＮチャネルＦＥＴ２２がオンして出力Ｏからローレベルの電圧が出力される。
【００１９】
なお、図３において、Ｚはハイインピーダンスの期間を示し、ＰはＰチャネルＦＥＴ２１をオンさせている期間を示し、ＮはＮチャネルＦＥＴ２２をオンさせている期間を示している。
このようにして、ロードライバＩＣ２、３の出力端子Ｏ1 、…、Ｏ40から走査電圧が順に出力される。この場合、各走査電極１１の両側から走査電圧が同時に印加されるため、走査電極１１の配線抵抗による電圧のなまりが低減され、輝度むらを少なくすることができる。なお、図３では正フィールドにおける動作状態を示しているが、負フィールドにおいては、ＰＣバー信号のハイレベル、ローレベルが正フィールドの場合と逆になって、負フィールドでの走査電圧が出力されるようなっている。
【００２０】
また、この実施形態においては、上記したように走査電圧を出力する前後の期間において出力Ｏがハイインピーダンス状態になるようにしているから、ロウドライバＩＣ２、３から出力される走査電圧の立ち上がり、立ち下がりタイミングを同じにして、走査電極１１の両側から同じ波形の走査電圧を同時に印加することができる。従って、ロウドライバＩＣ２、３における回路動作上の遅延、例えばゲート遅延、配線遅延などにより一方の出力がハイレベル、他方の出力がローレベルになってロウドライバＩＣ２、３が短絡し、過大電流が流れるのを防止することができる。特に、ＥＬディスプレイのような比較的高電圧で駆動するディスプレイや、走査電極が抵抗の低い金属で形成されたディスプレイにおいて効果が大きい。
【００２１】
なお、上記した実施形態においては、走査電極１１に対してその両側から走査電圧を印加するものを示したが、データ電極１２において電圧波形のなまりが問題になるのであればその両側にカラムドライバＩＣ４を設けてデータ電極１２の両側からデータ電圧を同時に印加するようにしてもよく、また走査電極１１およびデータ電極１２のそれぞれに対して両側から同じドライバＩＣの出力電圧を同時に印加するようにしてもよい。
【００２２】
また、ＥＬ素子によるマトリクス型の表示装置以外に、液晶によるマトリクス型の表示装置に本発明を適用するようにしてもよい。
【図面の簡単な説明】
【図１】本発明の一実施形態にかかるＥＬ表示装置の構成図である。
【図２】ロウドライバＩＣ２、３の具体的構成を示す回路図である。
【図３】ロウドライバ２、３の作動説明に供するタイミングチャートである。
【符号の説明】
１…ＥＬ表示パネル、２、３…ロウドライバＩＣ、４…カラムドライバＩＣ、５〜７…通電線。
【図１】
0003879275.tif 000002
【図２】
0003879275.tif 000003
【図３】
0003879275.tif 000004